(57)【要約】【課題】ファンに堆積又は付着した埃等に起因する汚れやカビの発生を抑制することを目的とする。【解決手段】空気調和機の室内機１は、中心軸線の周りに所定の間隔で円周方向に並んで配置されるとともに中心軸線から離間して配置される複数の羽根部２５ａを有する送風部２５と、中心軸線を中心として送風部２５を回転させる回転駆動部と、を有するクロスフローファン１８と、中心軸線と羽根部２５ａとの間に形成された空間に設けられ、羽根部２５ａと接触可能に設けられるブラシ部３１を備える清掃装置３０と、を備えている。【選択図】図３
2020112317.tif 000002
【特許請求の範囲】
【請求項１】
中心軸線の周りに所定の間隔で円周方向に並んで配置されるとともに前記中心軸線から離間して配置される複数の羽根部を有する送風部と、前記中心軸線を中心として前記送風部を回転させる回転駆動部と、を有するファンと、
前記中心軸線と前記羽根部との間に形成された空間に設けられ、前記羽根部と接触可能に設けられるブラシ部を備える清掃装置と、を備えた空気調和機の室内機。
【請求項２】
前記中心軸線に沿って前記ブラシ部を移動させる軸方向移動部を備えた請求項１に記載の空気調和機の室内機。
【請求項３】
前記送風部は、複数設けられていて、
複数の前記送風部は、各々の前記中心軸線が同方向となるように並んで配置されていて、
隣接する前記送風部は、前記送風部と同軸となるように設けられた円環形状の接続部材によって接続されていて、
前記接続部材の内側には前記ブラシ部を収容する空間が形成されている請求項２に記載の空気調和機の室内機。
【請求項４】
前記送風部の前記中心軸線の延在方向の端部を閉鎖する閉鎖部を備え、
前記閉鎖部には、前記送風部の端部との間に前記ブラシ部を収容する空間が形成されている請求項２または請求項３に記載の空気調和機の室内機。
【請求項５】
前記ブラシ部は、複数設けられていて、
複数の前記ブラシ部は、前記中心軸線の延びる方向に沿って所定の間隔で並んで配置されている請求項２から請求項４のいずれかに記載の空気調和機の室内機。
【請求項６】
前記中心軸線と交差する方向へ前記ブラシ部を移動させる交差方向移動部を備えた請求項１から請求項５のいずれかに記載の空気調和機の室内機。
【請求項７】
前記ブラシ部は、リング形状であって、
前記ブラシ部の径の大きさを変更する径変更部を備えている請求項１から請求項６のいずれかに記載の空気調和機の室内機。
【発明の詳細な説明】
【技術分野】
【０００１】
本発明は、空気調和機の室内機に関するものである。
【背景技術】
【０００２】
空気調和機の室内機は、外殻を為す筐体と、筐体の内部に設けられるファン及び熱交換を備えていて、ファンによって、熱交換器へ供給するための外気を筐体の内部に導入している。外気には、埃等が含まれている。このため、外気を筐体内に導入することで、筐体内には外気とともに埃等が侵入する。筐体内に埃等が侵入すると、侵入した埃が、筐体内のファンや熱交換器に堆積又は付着してしまい、汚れやカビの発生の原因となる。
このような事態を抑制するために、空気調和機の室内機では、外気の導入口等に埃を捕捉するフィルタを設け、筐体の内部に侵入する埃を抑制している（例えば、特許文献１）。
【先行技術文献】
【特許文献】
【０００３】
【特許文献１】特開２０１３−５７６４０号公報
【発明の概要】
【発明が解決しようとする課題】
【０００４】
しかしながら、筐体の内部には、様々な箇所から埃が侵入する。このため、フィルタだけでは、すべての埃の侵入を防止することはできない。したがって、フィルタを設けた場合であっても、筐体内に配置されたファンに埃が堆積又は付着し、堆積又は付着した埃が汚れやカビの発生の原因となるという問題が生じていた。
【０００５】
本発明は、このような事情に鑑みてなされたものであって、ファンに堆積又は付着した埃等に起因する汚れやカビの発生を抑制することができる空気調和機の室内機を提供することを目的とする。
【課題を解決するための手段】
【０００６】
上記課題を解決するために、本発明の空気調和機の室内機は以下の手段を採用する。
本発明の一態様に係る空気調和機の室内機は、中心軸線の周りに所定の間隔で円周方向に並んで配置されるとともに前記中心軸線から離間して配置される複数の羽根部を有する送風部と、前記中心軸線を中心として前記送風部を回転させる回転駆動部と、を有するファンと、前記中心軸線と前記羽根部との間に形成された空間に設けられ、前記羽根部と接触可能に設けられるブラシ部を備える清掃装置と、を備える。
【０００７】
上記構成では、ブラシ部が羽根部と接触可能に設けられている。これにより、ブラシ部と羽根部とが接触した状態で、送風部を回転させる（以下、ブラシ部と羽根部とが接触した状態で、送風部を回転させる運転を、「清掃運転」という。）ことで、ブラシ部が羽根部に堆積又は付着した埃等を払い落とすことができる。したがって、ファン（詳細には、羽根部）に堆積又は付着した埃等を除去することができるので、ファンに堆積又は付着した埃等に起因する汚れやカビの発生を抑制することができる。
また、羽根部の内側に設けられたブラシ部によって羽根部を清掃することができるので、室内機やファンを分解することなく、ファンに堆積又は付着した埃等に起因する汚れやカビの発生を抑制することができる。
【０００８】
また、本発明の一態様に係る空気調和機の室内機は、前記中心軸線に沿って前記ブラシ部を移動させる軸方向移動部を備えてもよい。
【０００９】
上記構成では、中心軸線に沿ってブラシ部を移動させる軸方向移動部を備えている。これにより、清掃運転時に、ブラシ部を軸方向へ移動させることで、中心軸線の延在方向における広い領域で、羽根部を清掃することができる。
また、ブラシ部を軸方向へ移動させることができるので、中心軸線の延在方向に長いブラシ部を設けることなく、広い領域で羽根部を清掃することができる。したがって、ブラシ部を小型化することができる。
【００１０】
また、本発明の一態様に係る空気調和機の室内機は、前記送風部は、複数設けられていて、複数の前記送風部は、各々の前記中心軸線が同方向となるように並んで配置されていて、隣接する前記送風部は、前記送風部と同軸となるように設けられた円環形状の接続部材によって接続されていて、前記接続部材の内側には前記ブラシ部を収容する空間が形成されていてもよい。
【００１１】
中心軸線と羽根部との間にブラシ部が存在すると、ファンが送風を行う際（以下、ファンが送風を目的として送風部を回転させる運転を「通常運転」という。）に、ブラシ部が送風の妨げとなる場合がある。上記構成では、接続部材の内側にはブラシ部を収容する空間が形成されている。これにより、軸方向移動部によってブラシ部を移動させることで、ブラシ部を接続部材の内側の空間に収納することができる。したがって、清掃運転以外の運転（例えば、通常運転）を行う際に、ブラシ部を接続部材の内側の空間に収納することで、ブラシ部による送風の阻害を抑制することができる。よって、室内機の運転効率の低下を抑制することができる。
【００１２】
また、本発明の一態様に係る空気調和機の室内機は、前記送風部の前記中心軸線の延在方向の端部を閉鎖する閉鎖部を備え、前記閉鎖部には、前記送風部の端部との間に前記ブラシ部を収容する空間が形成されていてもよい。
【００１３】
上記構成では、閉鎖部にはブラシ部を収容する空間が形成されている。これにより、軸方向移動部によってブラシ部を移動させることで、ブラシ部を閉鎖部の空間に収納することができる。したがって、清掃運転以外の運転（例えば、通常運転）を行う際に、ブラシ部を閉鎖部の空間に収納することで、ブラシ部による送風の阻害を抑制することができる。よって、室内機の運転効率の低下を抑制することができる。
【００１４】
また、本発明の一態様に係る空気調和機の室内機は、前記ブラシ部は、複数設けられていて、複数の前記ブラシ部は、前記中心軸線の延びる方向に沿って所定の間隔で並んで配置されていてもよい。
【００１５】
上記構成では、複数のブラシ部が中心軸線に沿って所定の間隔で並んで配置されている。これにより、中心軸線の延在方向における広い領域で、羽根部を清掃することができる。また、軸方向移動部によってブラシ部を移動させる場合には、ブラシ部の移動距離を短くすることができる。したがって、軸方向移動部の構成を簡素化することができる。
【００１６】
また、本発明の一態様に係る空気調和機の室内機は、前記中心軸線と交差する方向へ前記ブラシ部を移動させる交差方向移動部を備えてもよい。
【００１７】
上記構成では、中心軸線と交差する方向（以下、「径方向」という。）へ、ブラシ部を移動させる交差方向移動部を備えている。これにより、ブラシ部が羽根部と接触していない状態において、ブラシ部を径方向の羽根部側に移動させることで、ブラシ部と羽根部とを接触させることができる。また、ブラシ部が羽根部と接触している状態において、ブラシ部を径方向の中心軸線側に移動させることで、ブラシ部と羽根部とが接触していない状態とすることができる。すなわち、交差方向移動部によって、ブラシ部と羽根部とが接触していない状態と、ブラシ部と羽根部とが接触している状態とを切り替えることができる。
ブラシ部と羽根部とが接触した状態では、ブラシ部が送風部の回転抵抗を増大させてしまうが、上記構成では、清掃運転以外の運転（例えば、通常運転）を行う際に、ブラシ部と羽根部とが接触していない状態とすることで、送風部の回転抵抗の増大を抑制することができる。よって、室内機の運転効率の低下を抑制することができる。
また、ブラシ部を径方向へ移動させることで、より強くブラシ部と羽根部とを当接させることができるので、より好適に羽根部を清掃することができる。
【００１８】
また、本発明の一態様に係る空気調和機の室内機は、前記ブラシ部は、リング形状であって、前記ブラシ部の径の大きさを変更する径変更部を備えていてもよい。
【００１９】
上記構成では、ブラシ部がリング形状であって、ブラシ部の径の大きさを変更する径変更部を備えている。これにより、ブラシ部が羽根部と接触していない状態において、ブラシ部の径の大きさを大きくすることで、ブラシ部と羽根部とを接触させることができる。また、ブラシ部が羽根部と接触している状態において、ブラシ部の径の大きさを小さくすることで、ブラシ部と羽根部とが接触していない状態とすることができる。すなわち、径変更部によって、ブラシ部と羽根部とが接触していない状態と、ブラシ部と羽根部とが接触している状態とを切り替えることができる。
したがって、清掃運転以外の運転（例えば、通常運転）を行う際に、ブラシ部と羽根部とが接触していない状態とすることで、送風部の回転抵抗の増大を抑制することができる。よって、室内機の運転効率の低下を抑制することができる。
【発明の効果】
【００２０】
本発明によれば、ファンに堆積又は付着した埃等に起因する汚れやカビの発生を抑制することができる。
【図面の簡単な説明】
【００２１】
【図１】本発明の一実施形態に係る空気調和機の室内機の斜視図である。
【図２】図１の空気調和機の室内機縦断面図である。
【図３】図１の空気調和機の室内機に適用される清掃装置の斜視図である。
【図４】図３の清掃装置のブラシ部が径方向へ移動した状態を示す斜視図である。
【図５】図３の清掃装置のブラシ部が軸方向へ移動した状態を示す斜視図である。
【図６】図３の清掃装置の変形例に適用されるブラシ部の斜視図であり、拡径していない状態を示している。
【図７】図６のブラシ部が拡径した状態を示す斜視図である。
【発明を実施するための形態】
【００２２】
以下に、本発明に係る空気調和機の室内機の一実施形態について、図面を参照して説明する。
図１には、本発明の一実施形態に係る空気調和機の室内機の斜視図、図２には、その室内機の縦断面図が示されている。なお、本実施形態においては、壁掛け型の室内機に適用した例について説明するが、室内機の型式については、壁掛け型に限定されるものではなく、他型式の室内機にも適用できることは勿論である。また、図２では、図示の関係上、後述する清掃装置３０を省略して図示している。
【００２３】
室内機１は、横長の直方体形状とされた筐体２を備えている。この筐体２は、筐体２の背面側を構成するベース３と、ベース３の前面側に被せられている前面パネル４と、前面パネル４の前面開口部５を覆っている吸込みパネル６と、前面パネル４の前面と下面間に配設されている吹出しグリル７等によって構成されている。
【００２４】
ベース３には、後述の室内熱交換器１７を構成する第２熱交換器１７Ｂから流下するドレン水を受ける背面側ドレンパン８と、後述するクロスフローファン１８から吹出される空気の吹出し流路２０Ａを形成する空気流路壁９と、冷媒配管類１０を収容する配管収容部１１が一体に成形されている。前面パネル４には、上面に吸込みグリル１２が形成されているとともに、前面開口部５の前方に吸込みパネル６が上方部を支点に上方に開閉可能に設置され、その下方部に吸込口１３が開口されている。また、前面パネル４の前面と下面間に配設されている吹出しグリル７には、吹出口１４が開口されている。
【００２５】
筐体２の内部には、吸込口１３を含む前面パネル４の前面開口部５及び吸込みグリル１２に沿って、エアフィルタ１５及び空気浄化フィルタ１６が配設されており、その下流側の通風路２０中には、プレートフィンチューブ形の室内熱交換器１７が配設されている。この室内熱交換器１７は、図２に示されているように、前面側に配置される第１熱交換器１７Ａと、背面側に配置される第２熱交換器１７Ｂとに分割され、更に前面側の第１熱交換器１７Ａは、下方部がくの字状に折り曲げられた形状とされている。第１熱交換器１７Ａの上端と第２熱交換器１７Ｂの上端とは、ブラケット２４によって接続されている。
【００２６】
この複数に分割又は折り曲げられた室内熱交換器１７は、筐体２内の前面下部から上面及び背面側にかけて、断面が逆Ｖ字状となるように配設されている。つまり、室内熱交換器１７の前面側に配置された第１熱交換器１７Ａと、背面側に配置された第２熱交換器１７Ｂとは、それぞれの上端部同士が互いに近接するとともに、下部側に行くにつれてその間隔が漸次広くなるように配設された、いわゆる逆Ｖ字状配置とされている。
【００２７】
また、室内熱交換器１７は、内部に冷媒が流通し所定方向（室内機１の長手方向）に延びる複数のチューブ１７Ｃと、チューブ１７Ｃの延在方向と直交するように設けられた板状の複数のフィン１７Ｄと、を有する。複数のフィン１７Ｄは、互いが平行となるように所定距離離間して並んで配置されている。複数のチューブ１７Ｃは、各々、フィン１７Ｄに形成された貫通孔を挿通している。
【００２８】
室内熱交換器１７の下流側の通風路２０中には、細長い円筒形状とされたクロスフローファン１８が中心軸線（水平軸）周りに回転自在に配設されている。クロスフローファン１８の詳細については、後述する。
【００２９】
クロスフローファン１８の下流側前方には、吹出しグリル７と一体成形されたスタビライザ１９が配設されており、そのスタビライザ１９とベース３に成形されている空気流路壁９とによって、吹出口１４に至る吹出し流路２０Ａが形成されている。
【００３０】
吹出しグリル７には、室内熱交換器１７を構成している第１熱交換器１７Ａから流下するドレン水を受ける前面側ドレンパン２１が、スタビライザ１９とともに一体に成形されている。また、吹出しグリル７には、吹出口１４から吹出される温調風の風向を左右方向に調整する複数枚の縦ルーバ２２が回動可能に配設されるとともに、温調風の風向を上下方向に調整する水平フラップ２３が回動可能に配設されている。
【００３１】
次に、本実施形態に係るクロスフローファン１８及び清掃装置３０について図３から図５を用いて説明する。なお、図３から図５は、クロスフローファン１８の内部に収容されたブラシ部等を図示するために、クロスフローファン１８の複数の送風部２５のうちの１つ及び、複数の接続部材２６のうちの１つを省略して図示している。
【００３２】
クロスフローファン１８は、筐体２の内部の空間に、上方及び前方を室内熱交換器１７（詳細には、第１熱交換器１７Ａと第２熱交換器１７Ｂ）に覆われるように配置されている。クロスフローファン１８は、中心軸線が室内機１の長手方向に延在する円筒状の部材である。クロスフローファン１８は、中心軸線を中心に回転駆動されることにより、吸込口１３から筐体２の内部に空気を導入するとともに、導入した空気を吹出口１４から筐体２の外部（室内機１が配置される室内）へ排出する。
【００３３】
クロスフローファン１８は、円筒状の複数（本実施形態では、一例として１０個）の送風部２５と、中心軸線を中心として送風部２５を回転させる図示省略のファンモータ（回転駆動部）と、隣接する送風部２５同士を連結する複数（本実施形態では、一例として９個）の接続部材２６と、クロスフローファン１８の中心軸線の延在方向の両端部を閉鎖する２つの端板（閉鎖部）２７と、を備えている。
【００３４】
複数の送風部２５は、各々の中心軸線が同軸状となるように並んで配置されていている。なお、複数の送風部２５の中心軸線と、クロスフローファン１８の中心軸線とは同軸となっている。本実施形態では、各送風部２５は、中心軸線が略水平となるように配置されている。各送風部２５は、中心軸線の周りに所定の間隔で円周方向に並んで配置される複数の羽根部２５ａを有する。各羽根部２５ａは、中心軸線から離間して配置されていて、中心軸線と羽根部２５ａとの間には、後述するブラシ部３１が設けられる空間が形成されている。各羽根部２５ａは、空気流れ方向の一端から他端に向かって、半径方向（すなわち、中心軸線と直交する方向）に延在している。また、各羽根部２５ａは、軸線方向に所定の長さ延在している。
【００３５】
ファンモータは、筐体２内の右側部にベース３を介して設置されている。ファンモータは、最もファンモータ側に配置される送風部２５と連結されており、当該送風部２５を中心軸線を中心として回転させる。
【００３６】
複数の接続部材２６は、各々、並んで配置される接続部材２６の間に配置されている。各接続部材２６は、円環形状であって、かつ、板状に形成されている。また、各接続部材２６は、板厚方向が、中心軸線の延在方向となるように配置されている。各接続部材２６の板面には、連結対象である送風部２５の羽根部２５ａの中心軸線方向の端部が固定されている。各接続部材２６は、中心軸線の延在方向に、所定の長さ（厚さ）を有している。これにより、各接続部材２６の内部（接続部材２６の内縁の内側）には、空間が形成されている。この空間には、後述するブラシ部３１が収容可能とされる。
【００３７】
各端板２７は、円盤状の部材であって、かつ、板状に形成されている。各端板２７は、板厚方向が、中心軸線の延在方向となるように配置されている。各端板２７は、複数の送風部２５のうち、中心軸の延在方向の両端部に配置された送風部２５に設けられている。各端板２７の板面の外周側の領域には、送風部２５の羽根部２５ａの中心軸線方向の端部が固定されている。また、各端板２７の中心領域は、クロスフローファン１８の外側方向へとわずかに突出しており、この突出部分の内側には、空間が形成されている。この空間には、後述するブラシ部３１が収容可能とされる。
【００３８】
また、クロスフローファン１８の一端側（後述する軸方向駆動部が配置される側）に配置される端板２７には、後述する連結棒３２が挿通する開口２７ａが形成されている。開口２７ａは、端板２７の中心領域から外周領域に向かって延在する長円形状に形成されている。すなわち、開口２７ａは、端板２７の中心から外縁に向かって延びる長円形状に形成されている。また、開口２７ａは、後述する連結棒３２の移動軌跡に沿うように湾曲している。
【００３９】
清掃装置３０は、中心軸線と羽根部２５ａとの間に形成された空間に設けられ、羽根部２５ａと接触可能に設けられる複数（本実施形態では、１０個）のブラシ部３１と、複数のブラシ部３１を連結する連結棒３２と、中心軸線と交差する方向へ連結棒３２を介して複数のブラシ部３１を移動させる交差方向移動部３３と、中心軸線に沿って連結棒３２を介して複数のブラシ部３１を移動させる軸方向移動部３４と、を備えている。
【００４０】
複数のブラシ部３１は、中心軸線の延びる方向に沿って所定の間隔で並んで配置されている。詳細には、隣接するブラシ部３１同士の離間する距離は、隣接する接続部材２６同士の離間する距離と、略同一の距離とされている。
各ブラシ部３１は、連結棒３２に固定される円盤状の基部３１ａと、基部３１ａの外周面（湾曲面）の略全域に設けられる清掃部３１ｂと、を有する。基部３１ａの略中心には、板厚方向に貫通する貫通穴が形成されており、この貫通穴に連結棒３２が挿通するとともに、貫通穴を構成する内縁と連結棒３２の外周面とが溶接等で固定されている。清掃部３１ｂは、いわゆるブラシであり、基部３１ａの外周面から突出する多数の繊維や繊維状の金属等で形成されている。
【００４１】
連結棒３２は、クロスフローファン１８の内部に設けられ、クロスフローファン１８の中心軸線と略平行に、中心軸線方向の略全域に延在している。連結棒３２は、端板２７に形成された開口２７ａを挿通するとともに、各ブラシ部３１の基部３１ａに形成された貫通穴を挿通している。
【００４２】
交差方向移動部３３は、連結棒３２に固定される回動部３５と、回動部３５を移動させる第１モータ３６と、を有する。第１モータ３６は、電力により駆動され、駆動軸（図示省略）を回転駆動する。駆動軸は、クロスフローファン１８の中心軸線及び連結棒３２と略平行に延在している。
【００４３】
回動部３５は、第１モータ３６の駆動軸と直交する方向に延びる板状の部材である。回動部３５は、一端が第１モータ３６の駆動軸の先端部に固定されるとともに、他端が連結棒３２の一端に固定されている。すなわち、回動部３５は、第１モータ３６の駆動軸と連結棒３２の一端とを接続している。
【００４４】
軸方向移動部３４は、連結棒３２に対して固定されるスライド部３７と、スライド部３７とスライド自在に係合するレール部３８と、レール部３８をスライド移動させる第２モータ３９と、第２モータ３９とスライド部３７とを接続する接続棒４０と、を有する。
【００４５】
スライド部３７は、交差方向移動部３３の第１モータ３６と固定される第１モータ固定部３７ａと、第１モータ固定部３７ａと一体的に形成されレール部３８と係合する第１係合部３７ｂと、接続棒４０と固定される棒部３７ｃと、を有している。
【００４６】
第１モータ固定部３７ａは、連結棒３２及び第１モータ３６の駆動軸と直交する板状の部材であって、端板２７と対向するように配置されている。第１モータ固定部３７ａには、板厚方向に貫通する貫通穴が形成されており、この貫通穴を第１モータ３６の駆動軸が、一面から他面（端板２７と対向する面）に向かうように挿通している。また、第１モータ固定部３７ａには、板厚方向に貫通するボルト孔が２つ形成されている。第１モータ固定部３７ａの一面には、各ボルト孔を挿通するボルトによって、第１モータ３６が固定されている。このように、スライド部３７（詳細には、第１モータ固定部３７ａ）は、第１モータ３６及び回動部３５を介して、連結棒３２に対して固定されている。
第１係合部３７ｂは、第１モータ固定部３７ａの下端から略直角に曲折して延びる板状の底面部３７ｂａと、底面部３７ｂａの両側端から上方へ略直角に曲折して延びる板状の側面部３７ｂｂと、を備えている。側面部３７ｂｂは、連結棒３２と略平行となるように設けられている。
棒部３７ｃは、底面部３７ｂａの上面の端部（第１モータ固定部３７ａと接続している側とは反対側の端部）から上方へ突出する円柱状の部材である。
【００４７】
レール部３８は、スライド部３７の第１係合部３７ｂと係合する第２係合部３８ｂと、第２モータ３９を固定する第２モータ固定部３８ａと、を有し、室内機１に対して固定されている。
第２係合部３８ｂは、第１係合部３７ｂの底面部３７ｂａの下面と面接触する板状の第１レール部材３８ｂａと、第１レール部材３８ｂａの両側端から上方へ略直角に曲折して延びる板状の第２レール部材３８ｂｂと、を備えている。第２レール部材３８ｂｂは、各々、第１係合部３７ｂの側面部３７ｂｂと略平行となるように配置される。また、第２レール部材３８ｂｂは、外側面が側面部３７ｂｂの内側面と当接又は近接して対向するように配置されている。
第２モータ固定部３８ａは、第２レール部材３８ｂｂの上端から略直角に曲折して延びる板状の部材で会って、中央部に切欠きが形成されている。この切欠きを第２モータ３９の駆動軸が、下面から上面に向かうように挿通している。また、第２モータ固定部３８ａには、板厚方向に貫通するボルト孔が２つ形成されている。第２モータ固定部３８ａの下面には、各ボルト孔を挿通するボルトによって、第２モータ３９が固定されている。
【００４８】
第２モータ３９は、電力により駆動され、駆動軸（図示省略）を回転駆動する。駆動軸は、上下方向に延在している。
接続棒４０は、所定の長さを有する棒状の部材であって、一端が第２モータ３９の駆動軸の上端に固定されている。また、接続棒４０の他端には、接続棒４０の長手方向に長い長円状の開口２７ａが形成されており、当該開口２７ａをスライド部３７の棒部３７ｃが挿通している。
【００４９】
また、室内機１は、清掃装置３０の第１モータ３６及び第２モータ３９を制御する制御装置（図示省略）を備えている。
制御装置は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００５０】
次に、本実施形態における清掃装置３０の作用について説明する。
清掃装置３０は、第１モータ３６の駆動軸と連結棒３２とが回動部３５を介して連結されているため、第１モータ３６の駆動軸が回転駆動することで、回動部３５の延在方向の長さを半径として、連結棒３２が回動する。これにより、クロスフローファン１８の内部において、連結棒３２が、中心軸線寄りの位置（図３参照）と、羽根部２５ａ寄りの位置（図４参照）とを移動する。すなわち、連結棒３２の中心軸線と、送風部２５の中心軸線との偏心量が変化するように、径方向へ移動する。連結棒３２の移動に伴って、連結棒３２に固定されているブラシ部３１も、クロスフローファン１８の内部において、中心軸線寄りの位置と、羽根部２５ａ寄りの位置とを移動する。また、連結棒３２は、端板２７の開口２７ａを挿通しているので、開口２７ａの端部まで移動すると、開口２７ａの縁と当接し、移動が規制され停止する。これに伴って、ブラシ部３１も停止する。
【００５１】
清掃装置３０は、連結棒３２の中心軸線と、送風部２５の中心軸線との偏心量が最も大きくなる位置において、ブラシ部３１の清掃部３１ｂと羽根部２５ａとが十分に当接するように構成されている。また、連結棒３２の中心軸線と、送風部２５の中心軸線との偏心量が最も小さくなる位置において、ブラシ部３１の清掃部３１ｂと羽根部２５ａとが当接しないように構成されている。すなわち、清掃装置３０は、第１モータ３６を駆動させることで、ブラシ部３１と羽根部２５ａとの接触と非接触とを切り替えることができる。
【００５２】
本実施形態の室内機１では、送風を目的としてクロスフローファン１８を駆動させる際（すなわち、室内機１が設けられた室内に、温風又は冷風等を吹き出す通常運転時）には、ブラシ部３１と羽根部２５ａとを接触させない。また、クロスフローファン１８の羽根部２５ａを清掃する運転時には、ブラシ部３１と羽根部２５ａとを接触させる。そして、ブラシ部３１と羽根部２５ａとが接触した状態で、送風部２５を回転させる（以下、ブラシ部３１と羽根部２５ａとが接触した状態で、送風部２５を回転させる運転を、「清掃運転」という。）ことで、ブラシ部３１が羽根部２５ａに堆積又は付着した埃等を払い落とすことができる。
【００５３】
また、清掃装置３０は、第２モータ３９の駆動軸とスライド部３７（詳細には、スライド部３７の棒部３７ｃ）とが接続棒４０を介して連結されているため、第２モータ３９の駆動軸が回転駆動することで、接続棒４０の延在方向の長さを半径として、スライド部３７が移動する。この時、第２レール部材３８ｂｂと側面部３７ｂｂとが当接することで、レール部３８が、連結棒３２の延在方向（軸方向）と交差する方向へのスライド部３７の移動を規制する。これにより、スライド部３７が、連結棒３２の軸方向へスライド移動する。すなわち、図４の状態から図５の状態へと移動する。これにより、連結棒３２も軸方向へ移動する。連結棒３２の移動に伴って、連結棒３２に固定されているブラシ部３１も、クロスフローファン１８の内部において、軸方向へ移動する。スライド部３７は、隣接する接続部材２６同士の離間する距離分移動可能に構成されている。
【００５４】
清掃装置３０は、清掃運転時に、第１モータ３６を駆動させることで、複数のブラシ部３１を軸方向へ移動させることができる。隣接するブラシ部３１同士の離間する距離は、隣接する接続部材２６同士の離間する距離（すなわち、送風部２５の中心軸線方向の長さ）と、略同一の距離とされているため、複数のブラシ部３１を軸方向へ移動させることで、クロスフローファン１８の軸方向の略全域を清掃することができる。
また、清掃装置３０は、通常の運転時には、ブラシ部３１が端板２７及び接続部材２６の内側の空間に収容されており、清掃運転時に軸方向移動部３４によってブラシ部３１が収容空間から移動する。
【００５５】
本実施形態によれば、以下の作用効果を奏する。
【００５６】
本実施形態では、清掃運転を行うことで、ブラシ部３１が羽根部２５ａに堆積又は付着した埃等を払い落とすことができる。したがって、クロスフローファン１８（詳細には、送風部２５の羽根部２５ａ）に堆積又は付着した埃等を除去することができるので、クロスフローファン１８に堆積又は付着した埃等に起因する汚れやカビの発生を抑制することができる。
また、羽根部２５ａの内側に設けられたブラシ部３１によって羽根部２５ａを清掃することができるので、室内機１やクロスフローファン１８を分解することなく、クロスフローファン１８に堆積又は付着した埃等に起因する汚れやカビの発生を抑制することができる。
【００５７】
本実施形態では、クロスフローファン１８の中心軸線に沿ってブラシ部３１を移動させる軸方向移動部３４を備えている。これにより、清掃運転時に、ブラシ部３１を軸方向へ移動させることで、中心軸線の延在方向における広い領域（本実施形態では、略全域）で、羽根部２５ａを清掃することができる。
また、ブラシ部３１を軸方向へ移動させることができるので、中心軸線の延在方向に長いブラシ部３１を設けることなく、広い領域で羽根部２５ａを清掃することができる。したがって、ブラシ部３１を小型化することができる。
【００５８】
中心軸線と羽根部２５ａとの間にブラシ部３１が存在すると、クロスフローファン１８が送風を行う際（以下、クロスフローファン１８が送風を目的として送風部２５を回転させる運転を「通常運転」という。）に、ブラシ部３１が送風の妨げとなる場合がある。本実施形態では、接続部材２６の内側にはブラシ部３１を収容する空間が形成されている。これにより、軸方向移動部３４によってブラシ部３１を移動させることで、ブラシ部３１を接続部材２６の内側の空間に収納することができる。したがって、清掃運転以外の運転（例えば、通常運転）を行う際に、ブラシ部３１を接続部材２６の内側の空間に収納することで、ブラシ部３１による送風の阻害を抑制することができる。よって、室内機１の運転効率の低下を抑制することができる。
【００５９】
本実施形態では、端板２７にはブラシ部３１を収容する空間が形成されている。これにより、軸方向移動部３４によってブラシ部３１を移動させることで、ブラシ部３１を端板２７の空間に収納することができる。したがって、清掃運転以外の運転（例えば、通常運転）を行う際に、複数のうちのブラシ部３１の一つを、端板２７の空間に収納することで、ブラシ部３１による送風の阻害を抑制することができる。よって、室内機１の運転効率の低下を抑制することができる。
【００６０】
本実施形態では、複数のブラシ部３１が中心軸線に沿って所定の間隔で並んで配置されている。これにより、中心軸線の延在方向における広い領域（本実施形態では、略全域）で、羽根部２５ａを清掃することができる。また、ブラシ部３１が一つの構成において中心軸線の延在方向の略全域を清掃する場合と比較して、軸方向移動部３４による各ブラシ部３１の移動距離を短くすることができる。したがって、軸方向移動部３４の構成を簡素化することができる。
【００６１】
本実施形態では、中心軸線と交差する方向（以下、「径方向」という。）へ、ブラシ部３１を移動させる交差方向移動部３３を備えている。これにより、ブラシ部３１が羽根部２５ａと接触していない状態において、ブラシ部３１を径方向の羽根部２５ａ側に移動させることで、ブラシ部３１と羽根部２５ａとを接触させることができる。また、ブラシ部３１が羽根部２５ａと接触している状態において、ブラシ部３１を径方向の中心軸線側に移動させることで、ブラシ部３１と羽根部２５ａとが接触していない状態とすることができる。すなわち、交差方向移動部３３によって、ブラシ部３１と羽根部２５ａとが接触していない状態と、ブラシ部３１と羽根部２５ａとが接触している状態とを切り替えることができる。
ブラシ部３１と羽根部２５ａとが接触した状態では、ブラシ部３１が送風部２５の回転抵抗を増大させてしまうが、本実施形態では、清掃運転以外の運転（例えば、通常運転）を行う際に、ブラシ部３１と羽根部２５ａとが接触していない状態とすることで、送風部２５の回転抵抗の増大を抑制することができる。よって、室内機１の運転効率の低下を抑制することができる。
また、ブラシ部３１を径方向へ移動させることで、より強くブラシ部３１と羽根部２５ａとを当接させることができるので、より好適に羽根部２５ａを清掃することができる。
【００６２】
［変形例］
次に、本実施形態の変形例について図６及び図７を用いて説明する。
本変形例に係る室内機１００は、清掃装置３０が、交差方向移動部３３の代わりに、径変更部を備えており、ブラシ部５１が拡径可能に構成されている点で、上記実施形態と異なる。その他の点は、上記実施形態と略同一であるため、同一の構成については同一の符号を付し、その詳細な説明は省略する。
【００６３】
本変形例に係るブラシ部５１は、略リング状に形成されているとともに、一部が離間している。ブラシ部５１は、拡径した状態（図７参照）において、一端と他端とが近接して設けられている。また、ブラシ部５１は、縮径した状態（図６参照）において、ブラシ部５１の延在方向の一部領域が重複した状態となる。
また、各ブラシ部５１には、径変更部が設けられている。径変更部は、モータ等の駆動源（図示省略）からの駆動力によって、各ブラシ部５１の径を変更する。すなわち、径変更部は、ブラシ部５１の拡径状態（図７参照）と、縮径状態（図６参照）と切り替えることができる。各ブラシ部５１は、拡径した状態において、羽根部２５ａと当接し、縮径した状態において、羽根部２５ａと離間するように構成されている。
【００６４】
本変形例によれば、ブラシ部５１が羽根部２５ａと接触していない状態において、ブラシ部５１の径の大きさを大きくすることで、ブラシ部５１と羽根部２５ａとを接触させることができる。また、ブラシ部５１が羽根部２５ａと接触している状態において、ブラシ部５１の径の大きさを小さくすることで、ブラシ部５１と羽根部２５ａとが接触していない状態とすることができる。すなわち、径変更部によって、ブラシ部５１と羽根部２５ａとが接触していない状態と、ブラシ部５１と羽根部２５ａとが接触している状態とを切り替えることができる。
したがって、清掃運転以外の運転（例えば、通常運転）を行う際に、ブラシ部５１と羽根部２５ａとが接触していない状態とすることで、送風部２５の回転抵抗の増大を抑制することができる。よって、室内機１の運転効率の低下を抑制することができる。
【００６５】
なお、本発明は、上記実施形態に限定されるものではなく、その要旨を逸脱しない範囲において、適宜変形が可能である。
例えば、上記実施形態では、制御装置によって、第１モータ３６及び第２モータ３９を制御している例について説明したが、本発明はこれに限定されない。例えば、手動で第１モータ３６及び第２モータ３９の起動及び停止を行ってもよい。
【００６６】
また、上記実施形態では、第１モータ３６及び第２モータ３９によって、連結棒３２の交差方向への移動及び軸方向の移動を行ったが、本発明はこれに限定されない。例えば、第１モータ３６及び第２モータ３９を設けずに、手動で連結棒３２を動かしてもよい。
【００６７】
また、第１実施形態と変形例とを組み合わせてもよい。すなわち、交差方向移動部３３と径変更部とを両方設けてもよい。
【符号の説明】
【００６８】
１        ：室内機
２        ：筐体
３        ：ベース
４        ：前面パネル
５        ：前面開口部
６        ：吸込みパネル
７        ：吹出しグリル
８        ：背面側ドレンパン
９        ：空気流路壁
１０      ：冷媒配管類
１１      ：配管収容部
１２      ：吸込みグリル
１３      ：吸込口
１４      ：吹出口
１５      ：エアフィルタ
１６      ：空気浄化フィルタ
１７      ：室内熱交換器
１７Ａ    ：第１熱交換器
１７Ｂ    ：第２熱交換器
１７Ｃ    ：チューブ
１７Ｄ    ：フィン
１８      ：クロスフローファン
１９      ：スタビライザ
２０      ：通風路
２０Ａ    ：吹出し流路
２１      ：前面側ドレンパン
２２      ：縦ルーバ
２３      ：水平フラップ
２４      ：ブラケット
２５      ：送風部
２５ａ    ：羽根部
２６      ：接続部材
２７      ：端板
２７ａ    ：開口
３０      ：清掃装置
３１      ：ブラシ部
３１ａ    ：基部
３１ｂ    ：清掃部
３２      ：連結棒
３３      ：交差方向移動部
３４      ：軸方向移動部
３５      ：回動部
３６      ：第１モータ
３７      ：スライド部
３７ａ    ：第１モータ固定部
３７ｂ    ：第１係合部
３７ｂａ  ：底面部
３７ｂｂ  ：側面部
３７ｃ    ：棒部
３８      ：レール部
３８ａ    ：第２モータ固定部
３８ｂ    ：第２係合部
３８ｂａ  ：第１レール部材
３８ｂｂ  ：第２レール部材
３９      ：第２モータ
４０      ：接続棒
【図１】
2020112317.tif 000003
【図２】
2020112317.tif 000004
【図３】
2020112317.tif 000005
【図４】
2020112317.tif 000006
【図５】
2020112317.tif 000007
【図６】
2020112317.tif 000008
【図７】
2020112317.tif 000009